(57)【特許請求の範囲】
【請求項１】
静止した原稿上の画像の読取りの際に該原稿が載置される原稿載置面と、
前記原稿載置面の下部に位置し、前記原稿載置面に対し平行方向へ移動自在に前記画像を読取る原稿読取部と、
前記原稿載置面を覆うとともに前記原稿載置面に載置された前記原稿を前記原稿読取部側に押圧する原稿押え部材と、
前記原稿押え部材の上部に位置し、原稿載置面内の所定位置に形成された前記原稿読取部による前記原稿の読取位置に前記原稿を搬送する原稿搬送部と、
前記原稿載置面に前記原稿が載置された場合又は前記原稿搬送部による前記原稿の搬送の場合の何れかの場合に応じ、前記原稿載置面内において前記原稿押え部材を前記読取位置を覆う位置と覆わない位置との何れかの位置に移動させる切り替え手段とを有することを特徴とする画像読取装置。
【請求項２】
前記原稿押え部材は前記読取位置を覆う位置にある状態で前記原稿載置面の全面を押えることを特徴とする請求項１記載の画像読取装置。
【請求項３】
前記原稿搬送部の駆動に連動して前記原稿押え部材を前記読取位置を覆う位置と覆わない位置との何れかの位置に移動させる移動機構を備えることを特徴とする請求項１又は２記載の画像読取装置。
【請求項４】
請求項１乃至３の何れかに記載の画像読取装置を備えることを特徴とする複合機。
【発明の詳細な説明】
【技術分野】
【０００１】
本発明は画像読取装置に関し、特にスキャナや複写機等の画像読取装置、又は画像読取装置が画像形成装置の上部に載置された複合機に関するものである。
【背景技術】
【０００２】
スキャナや複写機等の画像読取装置には、その装置本体にフラットベットスキャナ（ＦＢＳ）装置を備えると共に、装置本体に対して開閉自在に設けられた原稿押え装置上部に原稿を自動的に搬送する自動原稿搬送（Auto Document Feeder：ＡＤＦ）装置を備えるものがある（例えば、特許文献１）。
【０００３】
【特許文献１】特開２００１−２４２６７０号公報
【０００４】
ＦＢＳ装置を用いた場合の画像の読取りは、画像読取装置本体に設けられた画像読取面としての原稿載置面に原稿が載置された後、原稿載置面の下部に位置する画像読取部が副走査線方向に移動しながら原稿上の画像を読取ることで実現される。
【０００５】
これに対してＡＤＦ装置を用いた場合の画像の読取りは、ＡＤＦ装置にセットされた原稿が上記のＦＳＢ装置における画像読取面とは別途に設けられた画像読取面に搬送され、この画像読取面上を通過する原稿上の画像を原稿読取部が読取ることで実現される。
【発明の開示】
【発明が解決しようとする課題】
【０００６】
一般的に、上述した構成を備える画像読取装置においては、ＦＢＳ装置による原稿の読取りの際に原稿が載置される原稿載置面としての画像読取面と、ＡＤＦ装置による原稿の読取りの際に原稿が通過する原稿読取面とは別途に並列して設けられている。したがって、このような構成では画像読取装置の構造が複雑となり、さらに装置自体が大型化するといった問題があった。
【０００７】
本発明は、このような実情に鑑み、ＦＢＳ装置において原稿載置面としての画像読取面内に、ＡＤＦ装置による原稿読取面を設けることにより、装置構造が単純で、かつ、装置自体の小型化が可能である画像読取装置及び複合機を提供することを目的とする。
【課題を解決するための手段】
【０００８】
上記課題を解決するために、本発明にかかる画像読取装置は、静止した原稿上の画像の読取りの際に該原稿が載置される原稿載置面と、原稿載置面の下部に位置し、原稿載置面に対し平行方向へ移動自在に画像を読取る原稿読取部と、原稿載置面を覆うとともに原稿載置面に載置された原稿を原稿読取部側に押圧する原稿押え部材と、原稿押え部材の上部に位置し、原稿載置面内の所定位置に形成された原稿読取部による原稿の読取位置に原稿を搬送する原稿搬送部と、原稿載置面に原稿が載置された場合又は原稿搬送部による原稿の搬送の場合の何れかの場合に応じ、原稿載置面内において原稿押え部材を読取位置を覆う位置と覆わない位置との何れかの位置に移動させる切り替え手段とを有することを特徴とする。
【０００９】
本発明にかかる原稿押え部材は、原稿載置面を覆うとともに原稿載置面に載置された原稿を原稿読取部側に押圧する。さらに、原稿押え部材は、原稿読取部による原稿の読取位置を覆う位置と覆わない位置との間を移動することができる。したがって、原稿搬送部により搬送された原稿上の画像が読取られる際には、原稿押え部材が原稿読取部の読取位置を覆う位置から退避することで、原稿読読取部は原稿上の画像を読取ることが可能となる。
【発明の効果】
【００１０】
本発明によれば、ＦＢＳ装置による原稿読取面である原稿載置面内に、ＡＤＦ装置による原稿読取面を設けることにより、装置構造が単純で、かつ、装置自体が小型である画像読取装置及び複合機を提供することができる。
【発明を実施するための最良の形態】
【００１１】
以下、本発明について図面を参照しながら説明する。本実施の形態では、本発明にかかる画像読取装置としてのスキャナを備えた複合装置を例として説明する。複合装置は、スキャナ等の画像読取装置と画像形成装置とを備え、画像読取装置で読取った原稿の画像情報に基づき画像形成装置が記録媒体に画像を形成する画像処理装置である。なお、本発明は、以下の記述に限定されるものではなく、本発明の要旨を逸脱しない範囲において適宜変更可能である。
【００１２】
[第１の実施形態]
図１及び図２は本発明の第１の実施形態にかかる複合装置１のそれぞれの概略外観図である。図１は、複合装置１を正面から見た正面図であり、図２は複合機１を正面に対して右方向から見た右側面図である。
【００１３】
図１及び図２に示すように、複合装置１は、記録媒体に画像を形成する画像形成装置としてのプリンタ２と、原稿上に形成された画像を読取る画像読取装置としてのスキャナ３と、原稿をスキャナ３に自動的に順次搬送する原稿搬送部としてのＡＤＦ装置２６とを備える。
【００１４】
スキャナ３は、図１及び図２に示すように、プリンタ２の上部に設けられている。また、ＡＤＦ装置２６は、スキャナ３の上部に設けられており、ＡＤＦ装置２６から順次搬送された原稿は、スキャナ３において画像が読取られる。スキャナ３で読取られた原稿を基に生じた画像情報はプリンタ２に対して出力され、プリンタ２は入力された画像情報に基づいて記録媒体に画像を形成する。
【００１５】
次に、上記の複合装置１が備えるプリンタ２及びスキャナ３についてより詳細に説明する。図３は、図１におけるIII−III方向の断面を示した断面図であり、図４は、図２におけるIV−IV方向の断面を示した断面図である。まず、プリンタ２について説明し、次いでスキャナ３について説明する。
【００１６】
プリンタ２は、画像が形成される図示せぬ記録媒体を格納する給紙カセット４と、給紙カセット４から給紙された記録媒体に画像を形成する機構部５とを備える。
【００１７】
給紙カセット４は画像が形成される図示せぬ記録媒体を格納する。また、給紙カセット４は、給紙ローラ６による記録媒体の取り出しが可能となるように上面に開口部を有する箱型部材である。
【００１８】
この給紙カセット４には、給紙カセット４に格納された記録媒体と接触するように給紙ローラ６が備えられている。給紙ローラ６はワンウェイクラッチ機能を内蔵し、図示せぬ駆動系から伝達された駆動力により駆動することで記録媒体を１枚ずつ分離し、機構部５に記録媒体を供給する。給紙カセット４から給紙された記録媒体は、搬送経路２１に沿って機構部５に搬送される。
【００１９】
給紙カセット４から給紙された記録媒体の搬送経路を形成し、搬送途中において記録媒体に画像を形成する機構部５は、給紙ローラ６から記録媒体が繰出されたことを検知するセンサ７と、記録媒体の斜行矯正手段を有するレジストローラ８と、記録媒体がレジストローラ８を通過したことを検知するセンサ９と、画像形成ユニット１２に記録媒体を搬送する搬送ローラ１０と、画像形成ユニット１２に搬送される直前の記録媒体の通過を検知し、検知結果を画像形成ユニット１２による画像形成の開始タイミングとして図示せぬ制御部に通知するライトセンサ１１と、記録媒体に画像を形成する画像形成ユニット１２と、画像形成ユニット１２により画像が形成された記録媒体に熱及び圧力を付与して画像を定着させる定着ユニット１９と、定着ユニット１９を通過した記録媒体を複合装置１外部に排出する排出ユニット２０とを備える。
【００２０】
センサ７、レジストローラ８、センサ９、搬送ローラ１０、及びライトセンサ１１は、搬送経路５０ａに沿って記録媒体搬送方向下流から順に配置される。センサ７、センサ９、及びライトセンサ１１は、特に限定はされないが、例えば光透過型又は光反射型のフォトインタラプタ等を使用することができる。搬送ローラ１０は、少なくとも１対のローラから構成され、図示せぬ駆動系より伝達された駆動力により回転し、記録媒体を画像形成ユニット１２に搬送する。
【００２１】
画像形成ユニット１２は、電子写真方式の印刷ユニットであり、トナー画像を形成するプロセスカートリッジ１６と、記録媒体を搬送する無端の搬送ベルト１７と、プロセスカートリッジ１６により形成されたトナー画像を記録媒体に転写する転写ローラ１８とを備える。
【００２２】
プロセスカートリッジ１６は、現像剤としてのトナーを収容するトナーカートリッジ１３と、感光ドラム１５の外周表面を一様に帯電させるチャージローラ１４と、図示せぬプリンタヘッドから照射された光により静電潜像が形成される感光ドラム１５とを備える。
【００２３】
トナーカートリッジ１３は、各色に対応するトナーを収容し、図示せぬ現像ローラにトナーを供給するための開口部を有する中空構造の箱型部材である。
【００２４】
チャージローラ１４は、導電性を有する、例えば金属製の軸体等から成る芯金を有し、その芯金の両端部を除く外周面に導電性の弾性層を有する。芯金には、図示せぬ電源供給系から高電圧が印加されている。チャージローラ１４は、一定の圧力を持って感光ドラム１５と当接しており、感光ドラム１５の回転に従動して回転することで感光ドラム１５を帯電させる。
【００２５】
感光ドラム１５は、円筒型に加工された導電性支持体上に感光層を塗布した感光層部から構成される。感光層部は、導電性支持体の表面から順に、ブロッキング層、電荷発生層、電荷輸送層の構成で積層構造となっている。印刷時には、感光ドラム１５は図示せぬ駆動系により伝達された駆動力により中心軸回りに回転する。
【００２６】
搬送ベルト１７は、記録媒体を静電吸着して搬送する無端のベルト部材であり、その両端部は１対の駆動ローラにより張架されている。図示せぬ駆動系よりこの駆動ローラに動力が伝達されると、駆動ローラは回転し、その回転に従動して搬送ベルト１７は駆動する。この搬送ベルト１７は図３に示すように前述した感光ドラム１５に当接するように設けられている。
【００２７】
転写ローラ１８は、導電性を有する、例えば金属製の軸体等から成る芯金を有し、その芯金の両端部を除く外周表面に導電性の弾性層を有する。図示せぬ電源供給系から高電圧が印加されている。転写ローラ１８は、一定の圧力を持って搬送ベルト１７を介して感光ドラム１５と当接している。
【００２８】
定着ユニット１９は、中心軸周りに回転可能なヒートローラと、このヒートローラに圧接するように設けられた加圧ローラとを備える。ヒートローラは内部に加熱部材としてのハロゲンランプが内蔵されたアルミニウムや鉄といった金属製の芯金を有し、その表面にシリコンゴムといった弾性体が設けられている。加圧ローラは、図示せぬテンションバネにより、ヒートローラの表面と一定の圧力で接触するように設けられている。定着ユニット１９は、ヒートローラと加圧ローラとで形成されるニップ部において記録媒体を挟持搬送することにより記録媒体に熱及び圧力を付与する。
【００２９】
排出ユニット２０は、定着ユニット１９を通過した記録媒体を記録媒体排出方向に搬送する搬送ローラと、搬送ローラにより搬送された記録媒体をプリンタ２外部に排出する排出ローラとを備える。
【００３０】
搬送ローラは、１対のローラから構成され、搬送経路５０ｂの記録媒体搬送方向始端に設けられる。搬送ローラは、定着ユニット１９を通過した記録媒体を排出ローラに搬送する。
【００３１】
排出ローラは、少なくとも１対のローラから構成され、搬送経路２２の記録媒体搬送方向終端に設けられる。排出ローラは、搬送経路２２に沿って搬送された記録媒体をスタッカーに排出する。
【００３２】
このような構成を備えるプリンタ２の印刷動作について説明する。まず、スキャナ３よりプリンタ２に画像情報が入力されると、図示せぬ駆動系は、各ロ−ラ類に駆動力を伝達する。また、図示せぬ電源系は高電圧を印加するための初動動作を開始する。
【００３３】
駆動系により駆動力が伝達された給紙ローラ６は回転を開始し、給紙カセット４から記録媒体を一枚ずつ分離後、レジストローラ８に記録媒体を搬送する。レジストローラ８は記録媒体の斜行を矯正しながら、画像形成ユニット１２に記録媒体を搬送する。
【００３４】
この時、図示せぬプリンタヘッドが画像情報に基づく光を感光ドラム１５の外周表面に照射する。これにより、チャージローラ１４により帯電された感光ドラム１５の外周表面には画像情報に基づく静電潜像が形成される。この静電潜像には図示せぬ現像ローラよりトナーが供給され、現像されることによりトナー像が形成される。
【００３５】
感光ドラム１５の外周表面上に形成されたトナー像は、記録媒体が感光ドラム１５と搬送ベルト１７の間を挟持搬送される際に、転写ローラ１８に印加された高電圧により記録媒体に転写される。
【００３６】
トナー像が転写された記録媒体は定着ユニット１９に搬送される。記録媒体には、定着ユニット１９のヒートローラ及び加圧ローラにより熱及び圧力が付与され、記録媒体上のトナー像は定着される。
【００３７】
トナー像が定着された記録媒体は、排出ユニット２０に搬送され、排出ローラによりプリンタ２外部に排出される。
【００３８】
次に、上述したプリンタ２に対して画像情報を出力するスキャナ３の構成について説明する。スキャナ３は、図４に示すように、平板ガラスの原稿載置面２４に載置した原稿を読取り、画像情報を生成するフラットベットユニット２１と、フラットベットユニット２１の上部に複数枚の原稿を順次搬送可能なＡＤＦ装置２６を備えたドキュメントカバーユニット２２とを備える。
【００３９】
フラットベットユニット２１は、原稿載置面２４の他に副走査線方向に往復運動をしながら原稿載置面２４に載置された原稿の読取動作を実行するキャリッジ２３を備える。
【００４０】
キャリッジ２３は、原稿載置面２４に載置された原稿の走査線上の画像を読取る手段としてのイメージセンサユニット２５と、光源としての冷陰極管１００と、冷陰極管１００から照射された光を所定の角度で反射させるミラー１０１ａ及び１０１ｂとを備えた箱型部材である。
【００４１】
イメージセンサユニット２５は、ミラー１０１ａ及び１０１ｂにより反射された光を集光するレンズ１０２と、受光した光をデジタル信号に変換するＣＣＤ（Charge Coupled Device）イメージセンサ１０３とを備える。
【００４２】
冷陰極管１００はキャリッジ２３の上面部に配置され、原稿載置面２４に載置された原稿に下方から光を照射する。冷陰極管１００の電極については特に限定をしないが、例えば、モリブテン電極等の寿命が長く消費電力が小さい電極等を使用することができる。
【００４３】
ミラー１０１ａは冷陰極管１００の下方部に設けられ、冷陰極管１００から照射された光及び原稿上で反射された光をミラー１０１ｂに導く。ミラー１０１ｂはミラー１０１ａにより反射された光をレンズ１０２方向に反射する所定の位置に設けられている。ミラー１０１ｂにより反射された光は、レンズ１０２を介して集光され、ＣＣＤイメージセンサ１０３上に結像される。
【００４４】
ＣＣＤイメージセンサ１０３は撮像素子の一つであり、レンズ１０２を介して結像された光の明暗をデジタル信号に変換する。ＣＣＤイメージセンサ１０３において、デジタル信号に変換された画像情報はプリンタ２に出力される。
【００４５】
このような構成を有するキャリッジ２３は、図５中の原稿読取面２４のＢ地点からＣ地点までの領域Ａを原稿読取方向に対して垂直方向の副走査線方向に移動しながら原稿載置面２４に載置された原稿上の画像を読取る。なお、図５中のＨ地点は、キャリッジ２３のホームポジション位置であり、Ｇ地点は、キャリッジ２３が副走査線方向に移動して読取動作を完了した後に減速して停止する位置である。
【００４６】
一方、ドキュメントカバーユニット２２には、前述したようにＡＤＦ装置２６がドキュメントカバーユニット２２上部に設けられている。ＡＤＦ装置２６は、複数枚の原稿を載置するための原稿トレイ２７と、原稿トレイ２７に載置した原稿の幅方向を整列させ、原稿搬送時における斜行を防止するために原稿の幅方向に一対で設けられた原稿幅ガイド２８とを備える。この原稿幅ガイド２８は、原稿トレイ２７上を原稿の搬送方向に対して直角の方向にスライド可能に具備されている。
【００４７】
また、ドキュメントカバーユニット２２の裏側には、フラットベットユニット２１に備えられた原稿載置面２４に載置された原稿の浮き上がりを押えるための原稿押え部材２９が具備されている。原稿押え部材２９は、原稿載置面２４と略同一の面積を有する長方形板状部材である。また、原稿押え部材２９の先端部は、図５中の移動領域Ｄを副走査線方向に移動自在となるように設けられている。この移動領域Ｄは、キャリッジ２３が原稿載置面２４に載置された原稿上の画像の読取りを開始するＢ地点から、後述するＡＤＦ装置２６による原稿搬送時において、キャリッジ２３が原稿上の画像を読取る読取位置であるＥ地点までの領域Ｆより僅かに大きく設けられ、その領域の関係はＤ＞Ｆの関係となっている。また、原稿押え部材２９は、原稿との接触面において光反射性の白色シート３０を備える。この白色シート３０は、キャリッジ２３が読取動作を実行する読取範囲の全面を覆う大きさを有しており、例えば両面粘着テープ等により原稿押え部材２９に貼り付けられている。
【００４８】
次に、上部にＡＤＦ装置２６を備えたドキュメントカバーユニット２２の要部について図６の要部詳細断面図を用いて詳細に説明する。ＡＤＦ装置２６は、原稿トレイ２７に載置された原稿の先端を給紙ローラ３２に接触させるためのホッパ３１と、図示せぬ駆動系より伝達された駆動力により回転することで、原稿を１枚ずつＡＤＦ装置２６内に取り込む給紙ローラ３２と、ホッパ３１に付勢力を付与するスプリング３３と、給紙ローラ３２に付勢することで原稿を１枚ずつ繰出す分離パット３４と、分離パット３４に付勢力を付与するスプリング３５と、原稿を搬送する搬送ローラ３６ａと、原稿を原稿読取面３９に押し当てるペーパーウェイト３７と、原稿読取面３９が形成されるＡＤＦウィンド３８と、ペーパーウェイト３７に付勢力を付与するスプリング４０と、原稿をＡＤＦ装置２６外部に排出するための排出ローラ３６ｂと、原稿が原稿トレイ２７に載置され、ホッパ３１にセットされたことを検知する原稿検知センサ２０３とを備える。
【００４９】
ホッパ３１はスプリング３３の上部に設けられ、スプリング３３の付勢力により昇降動作し、給紙ローラ３２に付勢して原稿を給紙する。給紙ローラ３２の下部には分離パット３４が具備され、分離パット３４は、スプリング３５の付勢力によって給紙ローラ３２に付勢することで原稿を１枚ずつ繰出す。
【００５０】
搬送ローラ３６ａは、原稿搬送経路中途に設けられ、繰出された原稿を搬送する。搬送ローラ３６ａ以降の原稿搬送経路下流には、キャリッジ２３が備えるイメージセンサユニット２５による原稿読取面３９が形成されるＡＤＦウィンド３８が設けられている。なお、ＡＤＦウィンド３８は無色透明な材料で形成されており、原稿搬送経路の一部を構成する。
【００５１】
イメージセンサユニット２５により画像が読取られる位置である画像読取面３９には、スプリング４０の付勢力によりペーパーウェイト３７が押し当てられている。また、原稿搬送経路終端には、排出ローラ３６ｂが設けられており、画像が読取られた原稿をＡＤＦ装置２６外部に排出する。
【００５２】
これらの各部材が協調動作することにより、ＡＤＦ装置２６内部に取り込んだ原稿をイメージセンサユニット２５による画像読取面３９まで搬送し、その後、イメージセンサユニット２５により読取られた原稿をＡＤＦ装置２６外部に排出すること可能となる。
【００５３】
また、本実施の形態にかかるドキュメントカバーユニット２２は、前述した原稿押え部材２９と、原稿押え部材２９の位置を検知する原稿押え部材位置検知センサ２００と、原稿押え部材２９に付勢力を付与するスプリング２０１と、原稿押え部材２９を押止するストッパ２０２とを備える。
【００５４】
原稿押え部材位置検出センサ２００は、例えば、原稿押え部材２９と接触する接触部材２００ａの傾斜角度によって原稿押え部材の位置を検知する光学センサである。例えば、接触部材２００ａが図６中の（Ｉ）の状態に傾斜した場合は、原稿押え部材位置検知センサ２００の出力はＯＮ状態となり、原稿押え部材２９がストッパ２０２に当接して停止している状態である旨の信号を図示せぬ制御部に出力する。一方、接触部材２００ａが図６中の（Ｊ）の状態に傾斜した場合は、原稿押え部材位置検出センサ２００の出力はＯＦＦ状態となり、原稿押え部材２９がストッパ２０２から離れている状態である旨の信号を図示せぬ制御部に出力する。原稿載置面２４に原稿を載置して画像を読取る場合は、この原稿押え部材２９は、スプリング２０１の付勢力によって、ＡＤＦ装置２６側に引っ張られており、ストッパ２０２に当接した位置で停止している。
【００５５】
また、原稿押え部材２９は、図７に示すように、一部に突出した操作レバー４１を有する。この操作レバー４１は、ドキュメントカバーユニット２２に設けた貫通孔４２から装置外部突出し、原稿押え部材２９の移動操作をドキュメントカバーユニット２２外部から切り替え操作可能としている。前述したように、原稿押え部材２９は、スプリング２０１の付勢力により、ＡＤＦ装置２６側に引っ張られている。しかし、操作レバー４１をＡＤＦ装置２６反対側に引っ張ることにより、原稿押え部材２９の位置はＡＤＦ装置２６反対側に移動することになる。図８は、操作レバー４１を示す拡大図である。ドキュメントカバーユニット２２に設けられた貫通孔４２は、下側に斜面４３と垂直面４４から構成される略三角形を成した突起部４５から構成される係合孔４６を備える。操作レバー４１をＡＤＦ装置２６反対側に引張り、操作レバー４１の先端部を係合孔４６に係合させることにより、原稿押え部材２９の位置を固定することができる。
【００５６】
このような構成を有するドキュメントカバーユニット２２を備える複合装置１の動作について説明する。
【００５７】
[ＡＤＦ装置２６を使用した画像読取動作]
通常、ドキュメントカバーユニット２２の裏側に備えられた原稿押え部材２９は、スプリング２０１の付勢力によりストッパ２０２に当接した位置に停止している。このとき、原稿押え部材位置検出センサ２００の接触部材２００ａの傾斜は図６中（Ｉ）の状態となり、原稿押え部材検出センサ２００の出力はＯＮ状態となる。原稿押え部材検出センサ２００がＯＮ状態である旨の信号が入力された図示せぬ制御部は、ＡＤＦ装置２６に対して起動処理の実行指令を出力しない。したがって、ＡＤＦ装置２６は原稿の搬送処理を実行することができない。さらに、ＡＤＦウィンド３８上に設けられた画像読取面３９は白色シート３０に覆われているため、例えキャリッジ２３が原稿読取面３９の直下に移動されたとしても、原稿上の画像を読取ることはできない。さらに、ＡＤＦ装置２６が具備する原稿トレイ２７上のホッパ３１に原稿がセットされることで、原稿検出センサ２０３がＯＮ状態となっても、原稿押え部材位置検出センサ２００の出力がＯＮ状態である限り、ＡＤＦ装置２６の起動処理は実行されない。
【００５８】
一方、操作者により操作レバー４１がＡＤＦ装置２６反対側に引っ張られ、貫通孔４２の係合孔４６に操作レバー４１の先端部が係合されると、原稿押え部材２９はストッパ２０２から離れた状態となる。このとき、原稿押え部材位置検出センサ２００の接触部材２００ａの傾斜は図６中（Ｊ）の状態となり、原稿押え部材位置検出センサ２００の出力はＯＦＦ状態となる。原稿押え部材位置検出センサ２００がＯＦＦ状態である旨の信号が入力された図示せぬ制御部は、ＡＤＦ装置２６に対して起動処理の実行指令を出力する。起動処理の実行指令が入力されたＡＤＦ装置２６は、起動処理を実行する。さらに、原稿押え部材２９の移動に伴い、白色シート３０はＡＤＦ装置２６反対側に移動するため、図９にしめすように、ＡＤＦウィンド３８上に設けられた原稿読取面３９が露出することになる。このとき、ＡＤＦ装置２６が具備する原稿トレイ２７上のホッパ３１に原稿がセットされると、原稿検出センサ２０３がＯＮ状態となり、ＡＤＦ装置２６による原稿搬送処理が実行可能となる。
【００５９】
次に、原稿検出センサ２０３による原稿検出に伴うＡＤＦ装置２６の動作について説明する。図１０に示す原稿トレイ２７上のホッパ３１に原稿がセットされると、原稿検出センサ２０３は原稿を検出し、原稿を検出した旨の信号を図示せぬ制御部に出力する（原稿検出センサ２０３の出力ＯＮ状態）。原稿検出センサ２０３より信号が入力された図示せぬ制御部は、モータ３００に対して駆動軸３０１を反時計回りに回転させるよう指示を供給する。指示の供給を受けたモータ３００は駆動を開始し、駆動軸３０１を反時計回りに回転させる。駆動軸３０１に連結したロック部材３０２は、モータ３００の駆動によって、駆動軸３０１を中心に反時計回りに回転し、ホッパ３１を押し上げてロックを解除する。ロック部材３０２は、ベースユニット３０３に備えられたリブ３０４に当接し停止する。
【００６０】
ホッパ３１のロックが解除されると、ホッパ３１は回転軸３０５を中心に回転し、ホッパ３１にセットされた原稿を給紙ローラ３２に密着させる。密着した原稿は給紙ローラ３２によって１枚ずつ繰出され、駆動軸３０６に連結した搬送ローラ３６ａの回転によりＡＤＦウィンド３８上に設けられた原稿読取面３９へ搬送される。原稿読取面３９上に搬送された原稿は、ペーパーウェイト３７によって押圧されながら通過し、画像が読取られた原稿は、駆動軸３０７に連結した排出ローラ３６ｂによってＡＤＦ装置２６外部へ排出される。
【００６１】
また、これらの一連の動作と同時に、キャリッジ２３は、図５で示したホームポジションのＨ地点から、ＡＤＦ装置２６による原稿搬送時において、キャリッジ２３が原稿上の画像を読取る読取位置であるＥ地点まで移動する。移動したキャリッジ２３が備えるイメージセンサユニット２５は、ＡＤＦウィンド３８上に設けられた画像読取面３９（Ｅ地点）上を通過する原稿の画像を読取り、読取った画像を基に画像情報を生成する。
【００６２】
原稿トレイ２７上のホッパ３１にセットした原稿が全て無くなると、原稿検出センサ２０３は原稿が存在しない旨の信号を図示せぬ制御部に出力する（原稿検出センサ２０３の出力ＯＦＦ状態）。原稿検出センサ２０３より信号が入力された図示せぬ制御部は、モータ３００に対して駆動軸３０１を時計回りに回転させるよう指示を供給する。指示の供給を受けたモータ３００は駆動を開始し、駆動軸３０１を時計回りに回転させる。駆動軸３０１に連結したロック部材３０２は、モータ３００の駆動によって、駆動軸３０１を中心に時計周りに回転し、ホッパ３１を押し下げてロックする（図１１）。
【００６３】
以上のように、原稿が原稿トレイ２７上のホッパ３１にセットされ（原稿検出センサ２０３の出力ＯＮ状態）、かつ、操作者により操作レバー４１がＡＤＦ装置２６反対側に引っ張られ、貫通孔４２の係合孔４６に操作レバー４１の先端部が係合されると（原稿押え部材位置センサ２００の出力ＯＦＦ状態）、ＡＤＦ装置２６による原稿搬送処理を実行することが可能となる。また、原稿押え部材の位置を手動で移動させることで、フラットベットによる画像読取動作の際に、単純な機構で光の反射面を均一にすることが可能となる。
【００６４】
[フラットベットユニット２１を使用した画像読取動作]
次に、原稿載置面２４に載置した原稿上の画像読取動作について説明する。フラットベットユニット２１を使用した画像読取りの場合は、ＡＤＦ装置２６が具備する原稿トレイ２７上のホッパ３１に原稿がセットされないので、原稿検出センサ２０３の出力はＯＦＦ状態であり、また、ホッパ３１はロックされた状態である。
【００６５】
また、ドキュメントカバーユニット２２の裏側に設けられた原稿押え部材２９は、スプリング２０１の付勢力によりストッパ２０２に当接した位置で停止している。したがって、原稿押え部材位置検出センサ２００の接触部材２００ａの傾斜は図６中（Ｉ）の状態となり、原稿押え部材位置検出センサ２００の出力はＯＮ状態となる。したがって、図示せぬ制御部は、ＡＤＦ装置２６に対して起動処理の実行指令を出力しない。さらに、ＡＤＦウィンド３８上に設けられた画像読取面３９は白色シート３０に覆われているため、例え、キャリッジ２３が図５中のＥ地点に移動されたとしても、原稿上の画像を読取ることはできない。さらに、ＡＤＦ装置２６が具備する原稿トレイ２７上のホッパ３１に原稿がセットされることで、原稿検出センサ２０３の出力がＯＮ状態となっても、原稿押え部材検出センサ２００の出力がＯＮ状態である限り、ＡＤＦ装置２６の起動処理は実行されない。
【００６６】
上述したような装置状態において、フラットベットユニット２１を使用した画像読取動作が可能となる。つまり、原稿押え部材位置検出センサ２００の出力がＯＮ状態である旨の信号が図示せぬ制御部に入力されると、図示せぬ制御部は、キャリッジ２３に対して図５中の読取開始地点であるＢ地点に移動するよう指示を供給する。移動指示の供給を受けたキャリッジ２３はＢ地点まで移動し、操作者による画像読取指示の供給を受けるまで待機する。
【００６７】
原稿載置面２４に原稿が載置され、操作者による画像読取指示の供給を受けた図示せぬ制御部は、原稿上の画像を読取るようキャリッジ２３に指示を供給する。図示せぬ制御部より指示の供給を受けたキャリッジ２３は、図５中のＢ地点から副走査線方向に移動を開始し、読取動作を終了するＣ地点まで移動しながら原稿上の画像を読取る。Ｃ地点まで到達したキャリッジ２３は、その後減速して停止位置であるＧ地点まで移動した後、ホームポジションであるＨ地点まで後退し、画像読取動作を終了する。
【００６８】
なお、フラットベットユニット２１を使用した画像読取動作を実行する際に、原稿押え部材位置検出センサ２００の出力がＯＦＦ状態、つまり、操作者により操作レバー４１がＡＤＦ装置２６反対側に引っ張られ、貫通孔４２の係合孔４６に操作レバー４１の先端部が係合されている場合は、係合孔４６から操作レバー４１の先端部を離間させて、操作レバー４１を図７に示す元の位置に戻すことで、原稿押え部材位置検出センサ２００の出力をＯＮ状態とすることができる。
【００６９】
また、ＡＤＦ装置２６が具備する原稿トレイ２７上のホッパ３１に原稿がセットされた場合においても、原稿押え部材位置検出センサ２００の出力がＯＮ状態であれば、フラットベットユニット２１を使用した画像読取動作を実行することができる。
【００７０】
これまでに説明したＡＤＦ装置２６を使用した画像読取動作及びフラットベットユニット２１を使用した画像読取動作にかかる原稿押え部材位置検出センサ２００及び原稿検出センサ２０３の出力ＯＮ・ＯＦＦ関係について表１を用いて説明する。なお、表１においては、ＡＤＦ装置２６をＡＤＦ、フラットベットユニット２１をＦＢと称する。
【００７１】
【表１】
0004521037.tif 000002
【００７２】
表１において、原稿押え部材位置検出センサ２００の出力がＯＮ状態、つまり、原稿押え部材位置検出センサ２００の接触部材２００ａの傾斜が図６中の（Ｉ）の状態である場合、フラットベットユニット２１を使用した画像読取動作を実行することが可能である。この場合、ＡＤＦ装置２６が具備する原稿トレイ２７上のホッパ３１に原稿がセットされていても、いなくとも（原稿検出センサ２０３の出力  ＯＮ／ＯＦＦ）、フラットベットユニット２１を使用した画像読取動作は実行可能である。
【００７３】
また、原稿押え部材位置センサ２００がＯＦＦ状態、つまり、原稿押え部材位置検出センサ２００の接触部材２００ａの傾斜が図６中の（Ｊ）の状態であり、かつ、原稿がＡＤＦ装置２６が具備する原稿トレイ２７上のホッパ３１にセットされることで（原稿検出センサ２００の出力ＯＮ状態）、ＡＤＦ装置２６を使用した画像読取動作を実行することが可能である。なお、原稿押え部材位置検出センサ２００の出力がＯＦＦ状態であり、原稿検出センサ２０３の出力がＯＦＦ状態である場合、つまり、ＡＤＦ装置２６が具備する原稿トレイ２７上のホッパ３１に原稿がセットされていない場合においては、読取られる原稿が存在しないため、ここでは、読取動作不可を意味する×を付した。勿論、原稿がＡＤＦ装置２６が具備する原稿トレイ２７上のホッパ３１にセットされることにより、ＡＤＦ装置２６を使用した画像読取動作を実行することが可能であることは言うまでもない。
【００７４】
これまでに説明したＡＤＦ装置２６及びフラットベットユニット２１を使用して読取られた画像に基づいて生成された画像情報は、プリンタ２に対して出力され、プリンタ２は入力された画像情報に基づいて記録媒体に画像を形成する。
【００７５】
以上のように、第１の実施形態によれば、フラットベットの画像読取範囲内にＡＤＦ装置による画像読取位置を設けることにより、スキャナ部の外形を小さくすることができる。また、原稿押え部材の位置を手動で移動させることで、フラットベットによる画像読取動作の際に、単純な機構で光の反射面を均一にすることが可能となる。
【００７６】
[第２の実施形態]
第２の実施形態にかかる複合機１の構成及び動作は、第１の実施形態で説明した複合機１と略同一である。したがって、同一な部分の説明は省略し、異なる部分について説明する。第２の実施形態にかかる原稿押え部材２９は、その先端部にＡＤＦ装置２６が備えるギア４０１と噛み合うラック４００を有し、ＡＤＦ装置２６の動作と連動して駆動することを特徴とする。
【００７７】
図１２は、上部にＡＤＦ装置２６を備えたドキュメントカバーユニット２２の要部について説明するための要部詳細断面図である。本実施形態にかかるドキュメントカバーユニット２２は、第１の実施形態にかかるＡＤＦ装置２６の構成に加えてギア４００と、このギア４０１と噛合可能なラック４００を備えた原稿押え部材２９とを備える。
【００７８】
このラック４００がギア４０１と噛合し、ギア４００が回転することで原稿押え部材２９は副走査線方向に移動自在となる。
【００７９】
また、図１３に示すように、原稿押え部材２９は側面にポスト５００ａ及び５００ｂを備える。このポスト５００ａ及び５００ｂは、ドキュメントカバーユニット２２に設けられた長孔５０１ａ及び５０１ｂにそれぞれ移動自在に係止されている。
【００８０】
さらに、図１４に示すように、本実施形態にかかるＡＤＦ装置２６は規定以上のトルクが与えられるとギア４０１を空転させるトルクリミッタ４０２を備える。ここでの規定は７００ｇ＊ｃｍとする。この規定値は限定されるものではないが最低限、原稿押え部材２９を移動させるためのトルク以上の規定値が必要となる。
【００８１】
このような構成を有するドキュメントカバーユニット２２を備える複合装置１の動作について説明する。
【００８２】
[ＡＤＦ装置２６を使用した画像読取動作]
図１４に示す原稿トレイ２７上のホッパ３１に原稿がセットされると、原稿検出センサ２０３は原稿を検出し、原稿を検出した旨の信号を図示せぬ制御部に出力する（原稿検出センサ２０３の出力ＯＮ状態）。原稿検出センサ２０３より信号が入力された図示せぬ制御部は、モータ３００に対して駆動軸３０１を反時計回りに回転させるよう指示を供給する。指示の供給を受けたモータ３００は駆動を開始し、駆動軸３０１を反時計回りに回転させる。駆動軸３０１に連結したロック部材３０２は、モータ３００の駆動によって、駆動軸３０１を中心に反時計回りに回転し、ホッパ３１を押し上げてロックを解除する。ロック部材３０２は、ベースユニット３０３に備えられたリブ３０４に当接し停止する。
【００８３】
更に、ロック部材３０２の回転と同時に駆動軸６０１に連結したギア４０３ａ及び４０３ｂが回転し、原稿押え部材２９はＫ方向に移動させられる。原稿押え部材２９の移動に伴い、原稿押え部材２９の側面に設けられたポスト５００ａ及び５００ｂがドキュメントカバーユニット２２に設けられた長孔５０１ａ及び５０１ｂの端面に接触すると、駆動軸６０１に負荷がかかる。その結果、トルクリミッタ４０２の作用によりギア４０１は空転し、ギア４０３ａ及び４０３ｂは停止する。
【００８４】
そして、ホッパ３１のロックが解除されると、ホッパ３１は回転軸３０５を中心に回転し、ホッパ３１にセットされた原稿を給紙ローラ３２に密着させる。密着した原稿は給紙ローラ３２によって１枚ずつ繰出され、駆動軸３０６に連結した搬送ローラ３６ａの回転によりＡＤＦウィンド３８上に設けられた原稿読取面３９へ搬送される。原稿読取面３９上に搬送された原稿は、ペーパーウェイト３７によって押圧されながら通過し、画像が読取られた原稿は、駆動軸３０７に連結した排出ローラ３６ｂによってＡＤＦ装置２６外部へ排出される。
【００８５】
また、これらの一連の動作と同時にキャリッジ２３は、図５で示したホームポジションのＨ地点から、ＡＤＦ装置２６による原稿搬送時において、キャリッジ２３が原稿上の画像を読取る読取位置であるＥ地点まで移動する。移動したキャリッジ２３が備えるイメージセンサユニット２５は、ＡＤＦウィンド３８上に設けられた画像読取面３９（Ｅ地点）上を通過する原稿の画像を読取り、読取った画像を基に画像情報を生成する
【００８６】
原稿トレイ２７上のホッパ３１にセットした原稿が全て無くなると、原稿検出センサ２０３は原稿が存在しない旨の信号を図示せぬ制御部に出力する（原稿検出センサ２０３の出力ＯＦＦ状態）。原稿検出センサ２０３より信号が入力された図示せぬ制御部は、モータ３００に対して駆動軸３０１を時計回りに回転させるよう指示を供給する。指示の供給を受けたモータ３００は駆動を開始し、駆動軸３０１を時計回りに回転させる。駆動軸３０１に連結したロック部材３０２は、モータ３００の駆動によって、駆動軸３０１を中心に時計周りに回転し、ホッパ３１を押し下げてロックする。
【００８７】
更に、ロック部材３０２の回転と同時に駆動軸６０１に連結したギア４０３ａ及び４０３ｂが回転し、原稿押え部材２９は図１４中のＬ方向に移動させられ、ＡＤＦ装置２６を使用した画像読取動作前の位置に戻る。
【００８８】
以上のように、原稿が原稿トレイ２７上のホッパ３１にセットされると（原稿検出センサ２０３の出力ＯＮ状態）、ＡＤＦ装置２６の起動に伴い原稿押え部材２９が移動し、白色シート３０はＡＤＦ装置２６反対側に移動するため、ＡＤＦウィンド３８上に設けられた原稿読取面３９が露出することになる。その結果、ＡＤＦ装置２６を使用した画像読取動作を実行することが可能となる。
【００８９】
[フラットベットユニット２１を使用した画像読取動作]
原稿が原稿トレイ２７上のホッパ３１にセットされない限り、つまり、原稿検出センサ２０３がＯＦＦ状態である場合は、原稿押え部材２９の移動は行われないため、フラットベットユニット２１を使用した画像読取動作を実行することが可能である。
【００９０】
これまでに説明したＡＤＦ装置２６及びフラットベットユニット２１を使用して読取られた画像に基づいて生成された画像情報は、プリンタ２に対して出力され、プリンタ２は入力された画像情報に基づいて記録媒体に画像を形成する。
【００９１】
なお、第２の実施形態においては、原稿押え部材２１の移動をＡＤＦ２６の動作と連動させる冷について説明したが、原稿押え部材２１の移動をフラットベットユニット２１と連動されることも可能である。
【００９２】
以上のように、第２の実施形態によれば、原稿押え部材の移動がＡＤＦ装置の動作と連動して行われるため、原稿押え部材の位置を切り替る手間が省かれると共に、フラットベットを使用した画像読取動作の際に、単純な構造で光の反射面を均一にすることが可能となる。
【００９３】
尚、本発明は、上述の図示例にのみ限定されるものではなく、本発明の要旨を逸脱しない範囲内において種々変更を加え得ることは勿論である。
【図面の簡単な説明】
【００９４】
【図１】複合装置１の外観図である。
【図２】複合装置１の外観図である。
【図３】図１におけるＩＩＩ−ＩＩＩ方向の断面を示した断面図である。
【図４】図２におけるＩＶ−ＩＶ方向の断面を示した断面図である。
【図５】原稿読取領域を説明する図である。
【図６】ドキュメントカバーユニット２２の要部を説明する要部詳細断面図である。
【図７】操作レバー４１を説明する図である。
【図８】操作レバー４１を説明する図である。
【図９】操作レバー４１の操作により画像読取面３９が露出した様子を説明する図である。
【図１０】ＡＤＦ装置２６の動作を説明する図である。
【図１１】ＡＤＦ装置２６の動作を説明する図である。
【図１２】ドキュメントカバーユニット２２の要部を説明する要部詳細断面図である。
【図１３】ポスト５００ａ及び５００ｂを説明する図である。
【図１４】ＡＤＦ装置２６の動作を説明する図である。
【符号の説明】
【００９５】
１        複合装置
２        プリンタ
３        スキャナ
４        給紙カセット
５        機構部
６        給紙ローラ
７        センサ
８        レジストローラ
９        センサ
１０      搬送ローラ
１１      ライトセンサ
１２      画像形成ユニット
１３      トナーカートリッジ
１４      チャージローラ
１５      感光ドラム
１６      プロセスカートリッジ
１７      搬送ベルト
１８      転写ローラ
１９      定着ユニット
２０      排出ユニット
５０ａ    搬送経路
５０ｂ    搬送経路
２１      フラットベットユニット
２２      ドキュメントカバーユニット
２３      キャリッジ
２４      原稿載置面
２５      イメージセンサユニット
２６      ＡＤＦ装置
２７      原稿トレイ
２８      原稿幅ガイド
２９      原稿押え部材
３０      白色シート
３１      ホッパ
３２      給紙ローラ
３３      スプリング
３４      分離パット
３５      スプリング
３６ａ    搬送ローラ
３６ｂ    搬送ローラ
３７      ペーパーウェイト
３８      ＡＤＦウィンド
３９      画像読取り面
４１      操作レバー
４２      貫通孔
４３      斜面
４４      垂直面
４５      突起部
４６      係合孔
１００    冷陰極管
１０１ａ  ミラー
１０１ｂ  ミラー
１０２    レンズ
１０３    ＣＣＤイメージセンサ
２００    原稿押え部材位置検出センサ
２００ａ  接触部材
２０１    スプリング
２０２    ストッパ
２０３    原稿検出センサ
３００    モータ
３０１    駆動軸
３０２    ロック部材
３０３    ベースユニット
３０４    リブ
３０５    回転軸
３０６    駆動軸
３０７    駆動軸
４００    ラック
４０１    ギア
４０２    トルクリミッタ
４０３ａ    ギア
４０３ｂ  ギア
５００ａ  ポスト
５００ｂ  ポスト
５０１ａ  長孔
５０１ｂ  長孔
６０１    駆動軸
【図１】
0004521037.tif 000003
【図２】
0004521037.tif 000004
【図３】
0004521037.tif 000005
【図４】
0004521037.tif 000006
【図５】
0004521037.tif 000007
【図６】
0004521037.tif 000008
【図７】
0004521037.tif 000009
【図８】
0004521037.tif 000010
【図９】
0004521037.tif 000011
【図１０】
0004521037.tif 000012
【図１１】
0004521037.tif 000013
【図１２】
0004521037.tif 000014
【図１３】
0004521037.tif 000015
【図１４】
0004521037.tif 000016